(57)【要約】【課題】血液成分の情報を多く含んだ光を受光することができる測定台を提供する。【解決手段】指３が設置される第１面１６及び第２面１７を有する本体部１５と、第１面１６及び第２面１７が向く側に投光する投光部２３と、投光部２３が投光した光３０が乱反射した光３０を受光する受光部２４と、を備え、第１面１６から第２面１７にかけて溝部２２が設置され、投光部２３と受光部２４とは溝部２２に設置されている。【選択図】図３
2015217008.tif 000002
【特許請求の範囲】
【請求項１】
被測定物が設置される設置面を有する本体部と、
前記設置面が向く側に投光する投光部と、
前記投光部が投光した光が乱反射した光を受光する受光部と、を備え、
前記設置面に溝部が設置され、前記投光部と前記受光部とは前記溝部に設置されていることを特徴とする測定台。
【請求項２】
請求項１に記載の測定台であって、
前記設置面には被測定物が押圧され、
前記受光部は前記溝部の底面に設置され、
前記溝部の深さは前記溝部の底面に前記被測定物が触れる深さであることを特徴とする測定台。
【請求項３】
請求項２に記載の測定台であって、
前記溝部の深さは０．５ｍｍ〜２ｍｍであり、前記溝部の幅は３ｍｍ〜５ｍｍであることを特徴とする測定台。
【請求項４】
請求項１〜３のいずれか一項に記載の測定台であって、
前記設置面は第１面と、前記第１面と交差する第２面と、を有し、
前記第１面と前記第２面とがなす角度は１５度〜５０度であることを特徴とする測定台。
【請求項５】
請求項１〜４のいずれか一項に記載の測定台であって、
前記溝部は平面形状が円または楕円であることを特徴とする測定台。
【請求項６】
請求項１〜５のいずれか一項に記載の測定台であって、
前記第１面は前記第１面が延在する第１方向と直交する断面が円弧状であり、前記第２面は前記第２面が延在する第２方向と直交する断面が円弧状であることを特徴とする測定台。
【請求項７】
測定台と、
前記測定台に光を供給する光源部と、
前記測定台にて受光した光を分析する分析部と、を備え、
前記測定台は、
被測定物が設置される設置面を有する本体部と、
前記設置面が向く側に投光する投光部と、
前記投光部が投光した光が乱反射した光を受光する受光部と、を備え、
前記設置面に溝部が設置され、前記投光部と前記受光部とは前記溝部に設置されていることを特徴とする分析装置。
【発明の詳細な説明】
【技術分野】
【０００１】
本発明は、測定台及び分析装置に関するものである。
【背景技術】
【０００２】
近赤外光や赤外光を用いて人体の血糖値、血圧脈拍を測定する方法が検討されている。腕に巻くベルトに光センサーが設置された測定装置が特許文献１に開示されている。それによると、測定装置本体は測定プローブを備え、測定プローブにはベルトが設置されている。ベルトを人体の腕に巻いて測定プローブを固定する。そして、ベルトの腕側の面に光センサーが設置される。腕に巻くベルトの長さを調整し、光センサーを肌に密着させて測定装置が用いられる。
【０００３】
光センサーが肌から離れると光センサーが出力する信号のノイズ成分が多くなる。測定プローブでは光センサーを腕に押し付けて用いられる。測定プローブには光センサー、圧力センサー及び測定プローブを腕に押圧する押圧装置が設置されている。そして、圧力センサーは測定プローブを押し付ける圧力を検出し押圧装置が適正な圧力で測定プローブを腕に押圧する。
【０００４】
測定装置は検出した赤外光を分光してスペクトルデータを得る。生体の皮膚には毛細血管があり、皮膚の表面に照射する赤外光の一部が毛細血管に吸収される。特定の波長において毛細血管に吸収される赤外光と血液成分とには相関がある。従って、検出された特定の波長における光強度と被検体である腕の血液成分濃度との間には相関がある。これにより、血中グルコース濃度を検出することができる。
【先行技術文献】
【特許文献】
【０００５】
【特許文献１】特開２００６−５５５２８号公報
【発明の概要】
【発明が解決しようとする課題】
【０００６】
人体の腕の表面には毛細血管が少ないので、光が血液に吸収され難い。指先には毛細血管が多いので、特許文献１に記載の方法より効率良く血液の情報を検出することが期待できる。一方、指先は柔らかいので、測定台に指を押圧すると血管が押しつぶされる。その結果、指先から血液が移動するので、血液成分を検出し難くなる。そこで、血液成分の情報を多く含んだ光を受光することができる測定台が望まれていた。
【課題を解決するための手段】
【０００７】
本発明は、上述の課題を解決するためになされたものであり、以下の形態または適用例として実現することが可能である。
【０００８】
［適用例１］
本適用例にかかる測定台であって、被測定物が設置される設置面を有する本体部と、前記設置面が向く側に投光する投光部と、前記投光部が投光した光が乱反射した光を受光する受光部と、を備え、前記設置面に溝部が設置され、前記投光部と前記受光部とは前記溝部に設置されていることを特徴とする。
【０００９】
本適用例によれば、測定台は本体部を備えている。本体部には被測定物が設置される設置面が設置されている。設置面に溝部が設置され溝部には投光部及び受光部が設置されている。
【００１０】
設置面を押圧するように被測定物が設置される。投光部から光が投光され、投光された光は被測定物を照射する。光は被測定物の表面に近い場所で反射する。被測定物には毛細血管が多く存在する。被測定物を照射した光のうち特定の波長の光は血管に吸収される。被測定物で吸収される光は血管内の血液の成分に対応して変化する。そして、被測定物で反射した光の一部は受光部を照射し、受光部は被測定物で反射した光を入力する。これにより、受光部が入力した光は被測定物の血液成分の情報を含んだ光となっている。
【００１１】
光が照射される被測定物に血液が多い程、血管に吸収される特定の波長の光の強度が大きくなる。そして、被測定物で乱反射した光は血液成分の情報を多く含んだ光となる。本体部には設置面に溝部が設置されている。そして、溝部では被測定物を押圧する力が小さいので血管内の血液を多くすることができる。従って、受光部は血液成分の情報を多く含んだ光を受光することができる。
【００１２】
［適用例２］
上記適用例にかかる測定台において、前記設置面には被測定物が押圧され、前記受光部は前記溝部の底面に設置され、前記溝部の深さは前記溝部の底面に前記被測定物が触れる深さであることを特徴とする。
【００１３】
本適用例によれば、設置面に被測定物が押圧される。設置面に溝部が設置され、溝部の底面に被測定物が触れる。溝部の底面には受光部が設置されているので被測定物は受光部に接触する。これにより、被測定物と受光部との間には空気が介在することを抑制することができる。従って、被測定物で乱反射する光は受光部で被測定物に向けて反射することを抑制することができる。その結果、受光部は被測定物で乱反射する光を効率良く受光することができる。
【００１４】
［適用例３］
上記適用例にかかる測定台において、前記溝部の深さは０．５ｍｍ〜２ｍｍであり、前記溝部の幅は３ｍｍ〜５ｍｍであることを特徴とする。
【００１５】
本適用例によれば、溝部の深さは０．５ｍｍ〜２ｍｍであり、溝部の幅は３ｍｍ〜５ｍｍである。このとき、第１面及び第２面を押圧する被測定物を溝部の底面に位置する受光部に接触させることができる。
【００１６】
［適用例４］
上記適用例にかかる測定台において、前記設置面は第１面と、前記第１面と交差する第２面と、を有し、前記第１面と前記第２面とがなす角度は１５度〜５０度であることを特徴とする。
【００１７】
本適用例によれば、第１面と第２面とがなす角度は１５度〜５０度となっている。被測定物が第１面と第２面とを押圧するとき、第１面と第２面とが交差する場所では被測定物が押圧する力が第１面及び第２面に比べて弱くなる。第１面と第２面とがなす角度が１５度〜５０度のとき、第１面と第２面とが交差する場所に近い場所に滞在する血液量を多くすることができる。
【００１８】
［適用例５］
上記適用例にかかる測定台において、前記溝部は平面形状が円または楕円であることを特徴とする。
【００１９】
本適用例によれば、溝部の平面形状が円または楕円となっている。溝部は中央付近の幅が広い為、被測定物が溝部に入り易くなる。その結果、被測定物を溝部の底面に接触し易くすることができる。
【００２０】
［適用例６］
上記適用例にかかる測定台において、前記第１面は前記第１面が延在する第１方向と直交する断面が円弧状であり、前記第２面は前記第２面が延在する第２方向と直交する断面が円弧状であることを特徴とする。
【００２１】
本適用例によれば、第１面及び第２面が円弧状となっている。被測定物の表面が円弧状のとき被測定物を第１面及び第２面に接触させる面積を広くすることができる。その結果、被測定物を所定の場所に合うように設置し易くすることができる。
【００２２】
［適用例７］
本適用例にかかる分析装置であって、測定台と、前記測定台に光を供給する光源部と、前記測定台にて受光した光を分析する分析部と、を備え、前記測定台は、被測定物が設置される設置面を有する本体部と、前記設置面が向く側に投光する投光部と、前記投光部が投光した光が乱反射した光を受光する受光部と、を備え、前記設置面に溝部が設置され、前記投光部と前記受光部とは前記溝部に設置されていることを特徴とする。
【００２３】
本適用例によれば、分析装置は光源部を備えている。光源部は光を測定台の投光部に供給する。測定台には被測定物が設置され、光は投光部から被測定物に投光される。光は被測定物で反射する。被測定物で吸収される光は血管内の血液の成分に対応して変化する。そして、被測定物で反射した光の一部は受光部を照射し、受光部は被測定物で反射した光を入力する。これにより、受光部が入力した光は被測定物の血液成分の情報を含んだ光となっている。反射した光は受光部にて受光され分析部に出力される。分析部では光を分析することにより血液成分の情報を得ることができる。
【００２４】
光が照射される被測定物に血液が多い程、血管に吸収される特定の波長の光の強度が大きくなる。そして、被測定物で反射した光は血液成分の情報を多く含んだ光となる。本体部には設置面に溝部が設置されている。そして、溝部では被測定物を押圧する力が小さいので血管内の血液を多くすることができる。従って、受光部は血液成分の情報を多く含んだ光を受光することができる。
【図面の簡単な説明】
【００２５】
【図１】第１の実施形態にかかわる生体計測装置の構成を示すブロック図。
【図２】（ａ）は測定台の構造を示す概略斜視図、（ｂ）は測定台の構造を示す模式平面図。
【図３】（ａ）は測定台の構造を示す模式断面図、（ｂ）は測定するときの指の状態を説明するための模式図。
【図４】第２の実施形態にかかわり、（ａ）及び（ｂ）は、測定台の構造を示す模式平面図。
【図５】第３の実施形態にかかわり、（ａ）〜（ｃ）は、測定台の構造を示す模式側断面図、（ｄ）は、測定台の構造を示す模式平面図。
【図６】変形例にかかわり、測定台の構造を示す模式断面図。
【発明を実施するための形態】
【００２６】
本実施形態では、測定台に指を設置して計測する生体計測装置と、この生体計測装置を用いて非侵襲的に血糖値を測定する生体計測方法との特徴的な例について、図に従って説明する。以下、実施形態について図面に従って説明する。尚、各図面における各部材は、各図面上で認識可能な程度の大きさとするため、各部材毎に縮尺を異ならせて図示している。
（第１の実施形態）
第１の実施形態にかかわる生体計測装置について図１〜図３に従って説明する。図１は、生体計測装置の構成を示すブロック図である。図１に示すように、分析装置としての生体計測装置１は測定台２を備えている。測定台２の表面は人体の被測定物としての指３の形状に凹部４が形成されている。そして、指３が凹部４に設置される。測定台２には凹部４と連通する第１孔１５ａと第２孔１５ｂが設置されている。
【００２７】
第１孔１５ａには第１光ファイバー５が設置されている。第１光ファイバー５は光源部６と接続されている。光源部６にはハロゲン光源が内蔵されている。第２孔１５ｂには第２光ファイバー７が設置されている。第２光ファイバー７は制御装置８内の分光光度計部９に接続されている。
【００２８】
分光光度計部９は分光器及びフォトダイオードを備えている。分光器は回折格子、凹面鏡、スリットを組み合わせて構成されている。第２光ファイバー７により導かれた光は回折格子に照射される。光は回折格子を通過することにより波長に応じた角度で進行方向が曲げられる。つまり、波長に応じて分光される。分光した光は凹面鏡を照射する。凹面鏡にて反射した光はスリットを照射する。凹面鏡にはモーターが設置され、モーターは凹面鏡を回転させる。そして、所定の波長の光がスリットを通過するように凹面鏡の回転角度が調整される。スリットを通過した光はフォトダイオードにより電気信号に変換される。これにより、分光光度計部９は所定の波長の光強度を測定することができる。分光光度計部９はＡＤ（アナログ／デジタル）変換回路を備え、光スペクトルの測定結果をデジタルデータにして出力する。
【００２９】
制御装置８には他にもインターフェイス部１０、記憶部１１及び演算部１２を備えている。インターフェイス部１０には光源部６の他にも入力部１３及び表示部１４が接続されている。入力部１３はキーボード、マウスポインター等であり、操作者が制御装置８に指示情報を入力する装置である。表示部１４は液晶ディスプレイ等の表示装置であり、生体計測装置１が計測した結果や計測状況を操作者に知らせる装置である。
【００３０】
記憶部１１には光源部６が出力する光スペクトルのデータ、分光光度計部９が検出した光の強度と指３内を流動する血液の血糖値との関係を示すデータ等が記憶されている。
【００３１】
演算部１２はＣＰＵ等により構成され光源部６の制御を行う。他にも、演算部１２は分光光度計部９が検出する光スペクトルのデータと記憶部１１に記憶されたデータを用いて血糖値の演算を行う。分光光度計部９、記憶部１１及び演算部１２により分析部が構成されている。
【００３２】
次に、生体計測装置１の動作を説明する。まず、測定台２に指３を設置する。次に、操作者が入力部１３を用いて測定開始の指示を入力する。演算部１２は光源部６を駆動させて第１光ファイバー５に光を出力させる。光は第１光ファイバー５を通過して測定台２から指３に光を照射する。
【００３３】
指３に照射された光は指３の内部の浅い場所で乱反射する。指３には毛細血管が多い。そして、光の一部は毛細血管の血液に吸収される。このとき、所定の波長の光が血液に吸収される光の強度は血液の成分濃度と相関がある。
【００３４】
指３の内部で乱反射した光の一部は第２光ファイバー７を通過し分光光度計部９に出力される。分光光度計部９は光を分光して光スペクトルのデータを演算部１２に出力する。演算部１２は光スペクトルのデータと記憶部１１に記憶されている光源部６の光スペクトルデータとを比較する。そして、演算部１２は血液により吸収された波長と強度を推定する。そして、演算部１２は所定の波長における光吸収量と血中成分との関係を示す表を用いて血中成分を推定する。本実施形態では例えば、波長が９２０ｎｍ及び９８８ｎｍの場所の光強度から血中のグルコース濃度を推定する。次に、演算部１２は検出した光スペクトルデータと血液中のグルコース濃度とを表示部１４に表示する。
【００３５】
図２（ａ）は測定台の構造を示す概略斜視図である。図２（ａ）に示すように、測定台２は本体部１５を備え、本体部１５には設置面としての第１面１６と第１面１６に交差する設置面としての第２面１７とが設置されている。第１面１６及び第２面１７は指３を設置する設置面となっている。第１面１６は第１方向１８に延びる仮想線を中心とする円弧状の面が第１方向１８に延びている。つまり、第１面１６は第１方向１８と直交する断面が円弧状になっている。同様に、第２面１７は第２方向２１に延びる仮想線を中心とする円弧状の面が第２方向２１に延びている。つまり、第２面１７は第２方向２１と直交する断面が円弧状になっている。人体の指３の表面も円弧状であることから指３を第１面及び第２面に接触させる面積を広くすることができる。その結果、生体の指を所定の場所に合うように設置し易くすることができる。
【００３６】
第１面１６と第２面１７とは交差し、第１面１６と第２面１７とに渡って溝部２２が設置されている。溝部２２の第１面１６側には第１孔１５ａが設置されている。そして、第１孔１５ａに第１光ファイバー５の一端が設置されて投光部２３となっている。溝部２２の第２面１７側には第２孔１５ｂが設置されている。そして、第２孔１５ｂに第２光ファイバー７の一端が設置されて受光部２４となっている。投光部２３は第１面１６が向く側に投光し、受光部２４は投光部２３が投光した光が乱反射した光を受光する。
【００３７】
図２（ｂ）は測定台の構造を示す模式平面図である。図３（ａ）は測定台の構造を示す模式断面図であり、図２（ａ）のＡ−Ａ’線に沿う断面側から見た図である。図２（ｂ）及び図３（ａ）に示すように、溝部２２は指３の腹と向かい合うように第１方向１８から第２方向２１にかけて延在する。溝部２２の深さは溝部２２の底面に指３が触れる深さとなっている。溝部２２の底面には受光部２４が設置されているので指３は受光部２４に接触する。これにより、指３と受光部２４との間には空気が介在することを抑制することができる。従って、指３で反射する光は受光部２４で指３側に反射することを抑制することができる。その結果、受光部２４は指３で反射する光を効率良く入力することができる。
【００３８】
また、溝部２２の底面には投光部２３が設置されているので指３は投光部２３に接触する。これにより、指３と投光部２３との間には空気が介在することを抑制することができる。従って、投光部２３から投光する光は指３で投光部２３側に反射することを抑制することができる。その結果、投光部２３は指３に向けて効率良く投光することができる。
【００３９】
溝部２２の幅２５は３ｍｍ〜５ｍｍが好ましい。幅２５は３．５ｍｍ〜４．５ｍｍがさらに好ましい。そして、溝部２２の深さ２６は０．５ｍｍ〜２ｍｍが好ましい。深さ２６は１ｍｍ〜１．５ｍｍがさらに好ましい。このとき、第１面１６及び第２面１７を押圧する指３が溝部２２に向かって突出し、指３を溝部２２の底面に接触させることができる。
【００４０】
第１面１６と第２面１７とがなす角度２７は１５度〜５０度が好ましい。角度２７は２５度〜３５度がさらに好ましく、３０度がさらに好ましい。指３が第１面１６と第２面１７とを押圧するとき、第１面１６と第２面１７とが交差する場所では指３が押圧する力が第１面１６及び第２面１７に比べて弱くなる。角度２７が上記の角度のとき、第１面１６と第２面１７とが交差する場所に近い場所に滞在する血液量を多くすることができる。
【００４１】
図３（ｂ）は測定するときの指の状態を説明するための模式図であり、図３（ａ）の一部を拡大した図である。図３（ｂ）に示すように、測定時には本体部１５の第１面１６及び第２面１７に合わせて指３が設置される。そして、指３の図中上側には固定部２８が設置され、固定部２８上には錘２９が設置される。固定部２８は指３に向かう側が凹んだ第３面２８ａが形成されている。第１面１６、第２面１７及び第３面２８ａにより指３を固定する。そして、錘２９により指３が第１面１６及び第２面１７に押圧される。錘２９の重量は特に限定されないが例えば３００ｇ〜２ｋｇの間で指３の大きさに合わせて選択するのが好ましい。
【００４２】
投光部２３から光３０が投光される。投光された光３０は指３を照射する。光３０は指３の表面に近い場所で乱反射する。指３には毛細血管が多く存在する。指３を照射した光のうち特定の波長の光は血管に吸収される。指３で吸収される光３０の波長は血管内の血液の成分に対応して変化する。そして、指３で反射した光の一部は受光部２４を照射し、受光部２４は指３で乱反射した光３０を受光する。受光部２４が受光する光３０は血液成分の情報を含んだ光３０となっている。
【００４３】
光３０が照射される指３に血液が多い程、血管に吸収される特定の波長の光３０の強度が大きくなる。そして、指３で反射した光３０は血液成分の情報を多く含んだ光３０となる。本体部１５には第１面１６と第２面１７とに渡って溝部２２が設置されている。そして、溝部２２では指３を押圧する力が小さいので、指３において溝部２２に近い測定領域３１では血管内の血液を多くすることができる。従って、受光部２４は血液成分の情報を多く含んだ光３０を受光することができる。
【００４４】
上述したように、本実施形態によれば、以下の効果を有する。
（１）本実施形態によれば、本体部には第１面１６と第２面１７とに渡って溝部２２が設置されている。そして、溝部２２では指３を押圧する力が小さいので血管内の血液を多くすることができる。従って、受光部２４は血液成分の情報を多く含んだ光３０を受光することができる。
【００４５】
（２）本実施形態によれば、第１面１６から第２面１７にかけて溝部２２が設置され、溝部２２の底面に指３が触れる。溝部２２の底面には受光部２４が設置されているので指３は受光部２４に接触する。これにより、指３と受光部２４との間には空気が介在することを抑制することができる。従って、指３で乱反射する光３０が受光部２４で指３に向けて反射することを抑制することができる。その結果、受光部２４は指３で乱反射する光３０を効率良く入力することができる。
【００４６】
（３）本実施形態によれば、溝部２２の深さは０．５ｍｍ〜２ｍｍであり、溝部２２の幅は３ｍｍ〜５ｍｍである。このとき、第１面及び第２面を押圧する指３を溝部２２の底面に接触させることができる。
【００４７】
（４）本実施形態によれば、第１面１６と第２面１７とがなす角度は１５度〜５０度となっている。指３が第１面１６と第２面１７とを押圧するとき、第１面１６と第２面１７とが交差する場所では指３が押圧する力が第１面１６及び第２面１７に比べて弱くなる。第１面１６と第２面１７とがなす角度が１５度〜５０度のとき、第１面１６と第２面１７とが交差する場所に近い場所に滞在する血液量を多くすることができる。
【００４８】
（５）本実施形態によれば、第１面１６及び第２面１７が円弧状となっている。指３の表面が円弧状のとき指３を第１面１６及び第２面１７に接触させる面積を広くすることができる。その結果、指３を所定の場所に合うように設置し易くすることができる。
【００４９】
（第２の実施形態）
次に、測定台の一実施形態について図４（ａ）及び（ｂ）の測定台の構造を示す模式平面図を用いて説明する。本実施形態が第１の実施形態と異なるところは、溝部２２の平面形状が異なる点にある。尚、第１の実施形態と同じ点については説明を省略する。
【００５０】
すなわち、本実施形態では図４（ａ）に示すように測定台３３は本体部３４を備えている。本体部３４には第１面１６と第１面１６に交差する第２面１７とが設置されている。そして、第１面１６から第２面１７にかけて指３の腹と向かい合うように溝部３５が設置されている。溝部３５の底面には第１孔３４ａ及び第２孔３４ｂが設置されている。
【００５１】
第１孔３４ａには第１光ファイバー５が挿入され、第１孔３４ａ及び第１光ファイバー５により投光部２３が構成されている。第２孔３４ｂには第２光ファイバー７が挿入され、第２孔３４ｂ及び第２光ファイバー７により受光部２４が構成されている。
【００５２】
溝部３５の平面形状は楕円形となっている。溝部３５は中央付近の幅が広い為、指３の一部が溝部３５に入り易くなる。その結果、指３を溝部３５の底面に接触し易くすることができる。これにより、指３と受光部２４との間に空気が入らないので、受光部２４における光３０の反射を抑制して効率よく光３０を受光部２４に入力させることができる。
【００５３】
図４（ｂ）に示すように測定台３６は本体部３７を備えている。本体部３７には第１面１６と第１面１６に交差する第２面１７とが設置されている。そして、第１面１６から第２面１７にかけて指３の腹と向かい合うように溝部３８が設置されている。溝部３８の底面には第１孔３７ａ及び第２孔３７ｂが設置されている。
【００５４】
第１孔３７ａには第１光ファイバー５が挿入され、第１孔３７ａ及び第１光ファイバー５により投光部２３が構成されている。第２孔３７ｂには第２光ファイバー７が挿入され、第２孔３７ｂ及び第２光ファイバー７により受光部２４が構成されている。
【００５５】
溝部３８の平面形状は円形となっている。溝部３８は中央付近の幅が広い為、指３の一部が溝部３８に入り易くなる。その結果、指３を溝部３８の底面に接触し易くすることができる。これにより、指３と受光部２４との間に空気が入らないので、光３０の反射を抑制して効率よく光３０を受光部２４に入力させることができる。
【００５６】
（第３の実施形態）
次に、測定台の一実施形態について図５を用いて説明する。図５（ａ）〜（ｃ）は、測定台の構造を示す模式側断面図であり、図５（ｄ）は、測定台の構造を示す模式平面図である。本実施形態が第１の実施形態と異なるところは、指３を測定する場所や第１光ファイバー５及び第２光ファイバー７の配置が異なる点になる。尚、第１の実施形態と同じ点については説明を省略する。
【００５７】
すなわち、本実施形態では図５（ａ）に示すように、測定台４１は本体部４２を備えている。本体部４２には第１面１６と第１面１６に交差する第２面１７とが設置されている。そして、第２面１７には指３の腹と向かい合うように溝部４３が設置されている。溝部４３の底面には第１孔４２ａ及び第２孔４２ｂが設置されている。
【００５８】
第１孔４２ａには第１光ファイバー５が挿入され、第１孔４２ａ及び第１光ファイバー５により投光部２３が構成されている。第２孔４２ｂには第２光ファイバー７が挿入され、第２孔４２ｂ及び第２光ファイバー７により受光部２４が構成されている。
【００５９】
投光部２３と受光部２４とは指３の幅方向４４に並んで設置されている。指３の幅方向４４は指３の背中と腹とを結ぶ方向と直交する方向である。指３を本体部４２に押圧するとき測定領域３１には圧力が加わらないので血液を滞留させることができる。このときにも、指３の腹側で圧力が小さい測定領域３１に投光部２３から光３０を照射することができる。そして、指３の測定領域３１で乱反射した光３０を受光部２４が効率良く受光することができる。
【００６０】
図５（ｂ）に示すように、測定台４５は本体部４６を備えている。本体部４６には第１面１６と第１面１６に交差する第２面１７とが設置されている。そして、第２面１７には指３の腹と向かい合うように溝部４７が設置されている。溝部４７の底面には第１孔４６ａ及び第２孔４６ｂが設置されている。
【００６１】
第１孔４６ａには第１光ファイバー５が挿入され、第１孔４６ａ及び第１光ファイバー５により投光部２３が構成されている。第２孔４６ｂには第２光ファイバー７が挿入され、第２孔４６ｂ及び第２光ファイバー７により受光部２４が構成されている。
【００６２】
投光部２３と受光部２４とは指３の幅方向４４に並んで設置されている。そして、指３の腹側で圧力が小さい測定領域３１に投光部２３から光３０を投光する。さらに、第１光ファイバー５と第２光ファイバー７とは所定の角度で交差するように配置されている。これにより、投光部２３からは受光部２４側に向けて光３０が投光され、指３の内部で光３０が乱反射する測定領域３１を受光部２４に近づけることができる。従って、指３の測定領域３１で乱反射した光３０を効率良く受光部２４に入力させることができる。
【００６３】
図５（ｃ）に示すように、測定台４８は本体部４９を備えている。本体部４９には第１面１６と第１面１６に交差する第２面１７とが設置されている。そして、第２面１７には指３の腹と向かい合う場所に溝部５０が設置されている。溝部５０の底面には第１孔４９ａ及び第２孔４９ｂが設置されている。
【００６４】
第１孔４９ａには第１光ファイバー５が挿入され、第１孔４９ａ及び第１光ファイバー５により投光部２３が構成されている。第２孔４９ｂには第２光ファイバー７が挿入され、第２孔４９ｂ及び第２光ファイバー７により受光部２４が構成されている。
【００６５】
投光部２３と受光部２４とは第２方向２１に並んで設置されている。そして、指３の腹側で圧力が小さい測定領域３１に投光部２３から光３０を投光する。これにより、投光部２３から測定領域３１に向けて光３０が投光され、指３の測定領域３１で乱反射した光３０を受光部２４が受光することができる。従って、指３の測定領域３１で乱反射した光３０を受光部２４が受光することができる。
【００６６】
図５（ｄ）に示すように、測定台５１は本体部５２を備えている。本体部５２には指３の側面と向かい合って接触するように側壁５３が設置され、側壁５３には第２方向２１に延在する溝部５４が設置されている。溝部５４の底面には第１孔５２ａ及び第２孔５２ｂが設置されている。溝部５４の底面は指３の側面と対向する面となっている。
【００６７】
第１孔５２ａには第１光ファイバー５が挿入され、第１孔５２ａ及び第１光ファイバー５により投光部２３が構成されている。第２孔５２ｂには第２光ファイバー７が挿入され、第２孔５２ｂ及び第２光ファイバー７により受光部２４が構成されている。投光部２３と受光部２４とは第２方向２１に並んで設置されている。
【００６８】
本体部５２において指３を挟んで側壁５３の反対側には可動板５５が設置されている。可動板５５は第２方向２１に長く延在する板状の部材である。可動板５５において指３の反対側にはコイルばね５６が設置されている。コイルばね５６が可動板５５を付勢し、可動板５５が指３を側壁５３に押圧する。従って、指３は側壁５３に押圧される。
【００６９】
指３を本体部５２に押圧するとき溝部５４と向かい合う測定領域３１では圧力が小さいので、測定領域３１に血液を滞留させることができる。このときにも、指３の側面で圧力が小さい測定領域３１に投光部２３から光３０を照射することができる。そして、指３の側面の測定領域３１で乱反射した光３０を受光部２４が効率良く受光することができる。
【００７０】
尚、本実施形態は上述した実施形態に限定されるものではなく、本発明の技術的思想内で当分野において通常の知識を有する者により種々の変更や改良を加えることも可能である。変形例を以下に述べる。
（変形例１）
前記第１の実施形態では、第１光ファイバー５を用いて光３０を投光部２３に導光した。光源部６から直接投光部２３に光３０を出力しても良い。第１光ファイバー５を削減できるので生産性良く生体計測装置１を製造することができる。
【００７１】
（変形例２）
前記第１の実施形態では、第２光ファイバー７を用いて光３０を分光光度計部９に導光した。受光部２４に分光光度計部９を設置しても良い。第２光ファイバー７を削減できるので生産性良く生体計測装置１を製造することができる。
【００７２】
（変形例３）
前記第１の実施形態では、固定部２８及び錘２９により指３が本体部１５に押圧された。本体部１５に吸引用の管を設置して、指３を吸引することにより本体部１５に押圧しても良い。
【００７３】
（変形例４）
図６は、測定台の構造を示す模式断面図である。前記第１の実施形態では、第１光ファイバー５及び第２光ファイバー７が溝部２２まで到達していた。図６に示すように、第１光ファイバー５及び第２光ファイバー７は溝部２２より凹んだ位置に設定されていても良い。投光部２３では第１光ファイバー５と溝部２２との間に遮光リング５７が設置されている。遮光リング５７の内径は第１光ファイバー５の外径より小さくなっている。例えば、本変形例では第１光ファイバー５の外径が５ｍｍであり、遮光リング５７の内径は３ｍｍとなっている。遮光リング５７は本体部１５に固定されており、遮光リング５７は第１光ファイバー５の先端と指３との距離を所定の距離に維持する。遮光リング５７により指３が第１光ファイバー５の先端に接触することが防止される為、第１光ファイバー５に油脂や塵が付着することを防止することができる。
【００７４】
また、遮光リング５７は第１光ファイバー５から投光される光３０の分布を規制する。
光３０は遮光リング５７の孔を通過して進行する。このとき、遮光リング５７により光３０が測定領域３１に進行するように規制される。これにより、受光部２４ではノイズ成分の少ない光３０を受光することができる。遮光リング５７は例えば本変形例では炭素を含んだ樹脂により形成されている。
【００７５】
同様に、受光部２４では第２光ファイバー７と溝部２２との間に遮光リング５７が設置されている。遮光リング５７の内径は第２光ファイバー７の外径より小さくなっている。例えば、本変形例では第２光ファイバー７の外径が５ｍｍであり、遮光リング５７の内径は３ｍｍとなっている。遮光リング５７は第２光ファイバー７の先端と指３との距離を所定の距離に維持する。遮光リング５７により指３が第２光ファイバー７の先端に接触することが防止される為、第２光ファイバー７に油脂や塵が付着することを防止することができる。
【００７６】
また、遮光リング５７は第２光ファイバー７が受光する光の進行方向を規制する。遮光リング５７により測定領域３１から進行した光３０を受光するように規制される。これにより、受光部２４ではノイズ成分の少ない光３０を受光することができる。
【符号の説明】
【００７７】
１…分析装置としての生体計測装置、２，３３，３６，４１，４５，４８，５１…測定台、３…被測定物としての指、９…分析部としての分光光度計部、１１…分析部としての記憶部、１２…分析部としての演算部、１５，３４，３７，４２，４６，４９，５２…本体部、１６…設置面としての第１面、１７…設置面としての第２面、２２，３５，３８，４３，４７，５０，５４…溝部、２３…投光部、２４…受光部、２５…幅、２６…深さ、２７…角度、３０…光。
【図１】
2015217008.tif 000003
【図２】
2015217008.tif 000004
【図３】
2015217008.tif 000005
【図４】
2015217008.tif 000006
【図５】
2015217008.tif 000007
【図６】
2015217008.tif 000008